(57)【要約】【課題】グロメットをパネルの取付孔に取付ける際に、環状シール部が反転することを抑制することを目的とする。【解決手段】グロメット３０は、取付孔内に配設可能な環状に形成された周壁部６２と、周壁部６２の一端から外周側に張出すように設けられた鍔部６４と、周壁部６２が取付孔内に配設された状態で、鍔部６４反対側から取付孔の周縁部に係止するロック部６６と含むインナー６０と、弾性材料により形成され、鍔部６４に被さる環状部５２と、環状部５２から周壁部６２の他端に向けて外方に向けて広がりつつ突出する環状シール部５６とを含むグロメット本体３２とを備える。環状シール部５６の内周部の少なくとも一部に、環状シール部５６が内周側に反転しようとすると周壁部６２に当接する反転抑制突部５１が形成されている。【選択図】図４
2018057064.tif 000002
【特許請求の範囲】
【請求項１】
車両のパネルに形成された取付孔に装着されるグロメットであって、
前記取付孔内に配設可能な環状に形成された周壁部と、前記周壁部の一端から外周側に張出すように設けられた鍔部と、前記周壁部が前記取付孔内に配設された状態で、前記鍔部とは反対側から前記取付孔の周縁部に係止するロック部とを含むインナーと、
弾性材料により形成され、前記鍔部に被さる環状部と、前記環状部から前記周壁部の他端に向けて外方に向けて広がりつつ突出する環状シール部とを含むグロメット本体と、
を備え、
前記環状シール部の内周部の少なくとも一部に、前記環状シール部が内周側に反転しようとすると前記周壁部に当接する反転抑制突部が形成されている、グロメット。
【請求項２】
請求項１に記載のグロメットであって、
前記反転抑制突部は、前記環状シール部の内周部の全体に亘って形成されている、グロメット。
【請求項３】
請求項１又は請求項２に記載のグロメットであって、
前記反転抑制突部は、前記環状シール部の周方向に沿って分断されつつ形成されている、グロメット。
【請求項４】
請求項１から請求項３のいずれか１項に記載のグロメットであって、
前記反転抑制突部は、前記環状シール部の先端縁部よりも基端寄りの位置に形成されている、グロメット。
【請求項５】
請求項１から請求項４のいずれか１項に記載のグロメットであって、
前記反転抑制突部の先端部は、前記取付孔への取付前状態で、前記周壁部の外周面から離れて位置する、グロメット。
【請求項６】
請求項１から請求項５のいずれか１項に記載のグロメットであって、
前記環状シール部の外周側に前記環状部から前記周壁部の他端に向けて外方に向けて広がりつつ突出する外周側環状シール部が形成されている、グロメット。
【請求項７】
請求項１から請求項６のいずれか１項に記載のグロメットと、
前記グロメット内に挿通された少なくとも１本の電線と、
を備えるグロメット付電線。
【発明の詳細な説明】
【技術分野】
【０００１】
この発明は、車両のパネルに形成された取付孔を通って配設されるワイヤーハーネスを保護し、かつ、取付孔を通った水の侵入を抑制するための技術に関する。
【背景技術】
【０００２】
特許文献１は、グロメット本体とインナ部材とを備えるグロメットを開示している。グロメット本体は、ゴム等の弾性材料によって形成されており、環状密着部が形成された封止部を備えている。環状密着部は、外方に向けて広がりつつ突出する形状に形成されている。インナ部材は、樹脂等により形成された部材であり、周壁部の周りに複数の係止部が形成された構成とされている。そして、インナ部材と封止部とが合体した状態で、環状密着部が取付孔の周囲でパネルの一方主面に押し当てられると共に係止部が取付孔の周縁部にパネルの他方面側から係止する。これにより、パネルの一方主面側でシールされた状態で、グロメットがパネルの取付孔に取付けられる。
【先行技術文献】
【特許文献】
【０００３】
【特許文献１】特開２０１４−２０４５３０号公報
【発明の概要】
【発明が解決しようとする課題】
【０００４】
しかしながら、特許文献１に開示の技術によると、グロメットをパネルの取付孔に取付ける際、環状密着部が反転してしまう恐れがある。特に、パネルに対してグロメットが大きく傾いた状態で、グロメットが取付孔に取付けられると、環状密着部が反転し易い。環状密着部が反転してしまうと、その部分を経由して、水が侵入する恐れがある。
【０００５】
そこで、本発明は、グロメットをパネルの取付孔に取付ける際に、環状シール部が反転することを抑制することを目的とする。
【課題を解決するための手段】
【０００６】
上記課題を解決するため、第１の態様は、車両のパネルに形成された取付孔に装着されるグロメットであって、前記取付孔内に配設可能な環状に形成された周壁部と、前記周壁部の一端から外周側に張出すように設けられた鍔部と、前記周壁部が前記取付孔内に配設された状態で、前記鍔部とは反対側から前記取付孔の周縁部に係止するロック部とを含むインナーと、弾性材料により形成され、前記鍔部に被さる環状部と、前記環状部から前記周壁部の他端に向けて外方に向けて広がりつつ突出する環状シール部とを含むグロメット本体と、を備え、前記環状シール部の内周部の少なくとも一部に、前記環状シール部が内周側に反転しようとすると前記周壁部に当接する反転抑制突部が形成されているものである。
【０００７】
第２の態様は、第１の態様に係るグロメットであって、前記反転抑制突部は、前記環状シール部の内周部の全体に亘って形成されているものである。
【０００８】
第３の態様は、第１又は第２の態様に係るグロメットであって、前記反転抑制突部は、前記環状シール部の周方向に沿って分断されつつ形成されているものである。
【０００９】
第４の態様は、第１から第３のいずれか１つの態様に係るグロメットであって、前記反転抑制突部は、前記環状シール部の先端縁部よりも基端寄りの位置に形成されているものである。
【００１０】
第５の態様は、第１から第４のいずれか１つの態様に係るグロメットであって、前記反転抑制突部の先端部は、取付孔への取付前状態で、前記周壁部の外周面から離れて位置するものである。
【００１１】
第６の態様は、第１から第５のいずれか１つの態様に係るグロメットであって、前記環状シール部の外周側に前記環状部から前記周壁部の他端に向けて外方に向けて広がりつつ突出する外周側環状シール部が形成されているものである。
【００１２】
第７の態様に係るグロメット付電線は、第１から第６のいずれか１つの態様に係るグロメットと、前記グロメット内に挿通された少なくとも１本の電線とを備える。
【発明の効果】
【００１３】
第１から第７の態様によると、グロメットを取付孔に装着する際に、環状シール部が反転しようとすると、反転抑制突部がインナーの周壁部に当接する。これにより、環状シール部の反転が抑制された状態で、環状シール部が取付孔の周囲で車両のパネルに押付けられる。
【００１４】
第２の態様によると、環状シール部の全体で当該環状シール部の反転を抑制できる。
【００１５】
第３の態様によると、反転抑制突部は、分断されているため、環状シール部をパネルに押付ける際に、環状シール部が広がりやすくなる。
【００１６】
第４の態様によると、環状シール部の先端縁部をパネルに押付けることができるため、環状シール部によるシール性を損い難い。
【００１７】
第５の態様によると、インナーをグロメット本体に取付ける際に、反転抑制突部を巻込み難く、インナーをグロメット本体に容易に取付けることができる。
【００１８】
第６の態様によると、外周側環状シール部によってより確実に水の侵入を抑制できる。
【図面の簡単な説明】
【００１９】
【図１】実施形態に係るグロメット付電線を示す概略側面図である。
【図２】グロメットの一端部を示す斜視図である。
【図３】グロメットの一端部を示す底面図である。
【図４】グロメットの一端部の分解斜視図である。
【図５】グロメットの一端部の断面図である。
【図６】グロメットの一端部を取付孔に装着する途中状態を示す断面図である。
【図７】グロメットの一端部を取付孔に装着した状態を示す断面図である。
【発明を実施するための形態】
【００２０】
以下、実施形態に係るグロメット及びグロメット付電線について説明する。図１はグロメット付電線２０を示す概略側面図であり、図２はグロメット３０の一端部を示す斜視図であり、図３はグロメット３０の一端部を示す底面図であり、図４はグロメット３０の一端部の分解斜視図であり、図５はグロメット３０の一端部の断面図である。
【００２１】
グロメット付電線２０は、グロメット３０と、グロメット３０内に挿通されたワイヤーハーネス２２とを備える。グロメット３０は、車両に形成されたパネル１０、１４に形成された取付孔１２、１６に取付けられる。ワイヤーハーネス２２は、複数の電線が束ねられた部材であり、グロメット３０内を通って取付孔１２に通される。図１では、ワイヤーハーネス２２の概形を示している。このグロメット３０により、ワイヤーハーネス２２が取付孔１２、１６の周縁部から保護されると共に、取付孔１２、１６とワイヤーハーネス２２との間を通った水の進入が抑制される。
【００２２】
例えば、グロメット３０は、車体とバックドアとの間に配索されるワイヤーハーネス２２に装着される。グロメット３０のいずれか一方の端部が車体側のパネル１０に形成された取付孔１２に装着され、グロメット３０のいずれか他方の端部がバックドア側のパネル１４に形成された取付孔１６に装着される例で説明する。もっとも、グロメット３０の両端がパネルに形成された取付孔に装着されることは必須ではない。例えば、本グロメットは、１箇所で、パネルに形成された取付孔に装着されるものであってもよい。
【００２３】
また、ここでは、取付孔１２、１６は、長円形の孔状に形成されている例で説明する。長円形とは、第１の方向の長さ寸法が当該第１の方向に直交する第２の方向の長さ寸法よりも長い、円形に類似した形状をいい、例えば、対向する一対の直線部分と、一対の直線部分を両端部同士結ぶ一対の円弧状の曲線部分とで規定される形状、及び、楕円形状を含む。ここでは、取付孔１２、１６が対向する一対の直線部分と一対の直線部分を両端部同士結ぶ一対の円弧状の曲線部分とで規定される形状であるとして説明する。もっとも、取付孔は、その他、円形孔、矩形状孔等であってもよい。後述する環状取付部３４、５０及びインナー６０は、取付孔の形状に応じた環状形状に形成される。
【００２４】
グロメット３０は、グロメット本体３２と、インナー６０とを備える。グロメット本体３２は、ゴム等の弾性材料によって形成されており、インナー６０は、グロメット本体３２を形成する材料よりも剛性が高い材料、例えば、ポリプロピレン等の樹脂によって形成されている。
【００２５】
グロメット本体３２は、一方側の環状取付部３４と、他方側の環状取付部５０と、これらの間に設けられるハーネスガイド筒部４０とを備える。
【００２６】
一方側の環状取付部３４は、外周に環状溝３５が形成された環状形状に形成されている。この環状取付部３４が取付孔１２内に嵌め込まれると、取付孔１２の周縁部が環状溝３５内に嵌まり込む。これにより、環状取付部３４が取付孔１２に取付けられる。また、取付孔１２の周縁部が環状溝３５に嵌まり込む構成によって、環状取付部３４と取付孔１２との間が防水シールされる。
【００２７】
他方側の環状取付部５０は、インナー６０と合体した状態で、取付孔１６に装着される。これにより、ワイヤーハーネス２２と取付孔１６との直接的な接触を抑制して当該ワイヤーハーネス２２を保護すると共に、取付孔１６とワイヤーハーネス２２との間を通った水の浸入を抑制する。
【００２８】
ハーネスガイド筒部４０は、バックドアを開いた状態で、パネル１０の取付孔１２とパネル１４の取付孔１６（いずれか一方がバックドア側のパネルに形成され、他方が車両側のパネルに形成されている）との間に配設可能な程度の長さ寸法の筒形状に形成されている。ハーネスガイド筒部４０は、蛇腹状に形成されており、バックドアの開閉に伴って屈曲変形可能に形成されている。ここでは、ハーネスガイド筒部４０の両端部は、その軸周りに互いに反対側を向くように曲がっているが、いずれか一方が直線的に外方を向いていてもよい。
【００２９】
上記グロメット本体３２の他方側の環状取付部５０の構成についてより具体的に説明する。環状取付部５０は、グロメット本体３２の一方側の端部部分として形成された部分であり、従って、従って、ゴム等の弾性材料によって形成されている。環状取付部５０は、環状部５２と、環状シール部５６と、外周側環状シール部５８とを備える。
【００３０】
環状部５２は、取付孔１６よりも大きな（ここでは一回り大きな）長円形環状に形成されている。この環状部５２は、環状取付部５０とインナー６０とが合体した状態で、インナー６０の一端側から外周側に張出すように配設される。環状部５２内には、インナー６０の鍔部６４を配設可能な環状溝５３が形成されている（図４及び図５参照）。環状取付部５０とインナー６０とが合体した状態では、環状部５２は、鍔部６４に被さる。
【００３１】
環状シール部５６は、環状部５２の軸方向における当該環状部５２の一方側の面に、環状部５２の外周に沿って環状に形成された凸形状に形成されている。環状シール部５６は、環状部５２からインナー６０の周壁部６２の他端に向けて外方に向けて徐々に広がりつつ突出する形状に形成されている。すなわち、環状シール部５６は、スカート状に広がるように形成されている。また、環状シール部５６は、先端側に向けて徐々に薄くなうように形成されており、環状シール部５６の先端側部分ほど、容易に変形できるようになっている。さらに、環状シール部５６の先端縁部は、丸められている。そして、環状シール部５６が取付孔１６の周囲でパネル１４の一方主面に押し当てられると、環状シール部５６が変形しつつ、環状シール部５６のうち丸められた先端縁部が取付孔１６の周囲でパネル１４の一方主面に密着する。
【００３２】
また、環状部５２には、上記環状シール部５６の外周側の位置で環状部からインナー６０の周壁部６２の他端に向けて外方に向けて広がりつつ突出する外周側環状シール部５８が形成されている。外周側環状シール部５８も、スカート状に広がるように形成されている。また、外周側環状シール部５８は、先端側に向けて徐々に薄くなうように形成されており、外周側環状シール部５８の先端側部分ほど、容易に変形できるようになっている。さらに、外周側環状シール部５８の先端縁部は、丸められている。そして、そして、外周側環状シール部５８が環状シール部５６の外周側でパネル１４の一方主面に押し当てられると、外周側環状シール部５８が変形しつつ、外周側環状シール部５８のうち丸められた先端縁部が取付孔１６の周囲でパネル１４の一方主面に密着する。なお、外周側環状シール部５８は省略されてもよい。
【００３３】
そして、環状部５２が鍔部６４に被さった状態で、環状シール部５６及び外周側環状シール部５８が後述するロック部６６の係止方向とは逆側からパネル１４の一方主面に密着するように配設される。
【００３４】
環状取付部５０のうち環状シール部５６及び外周側環状シール部５８側は開口しており、これとは反対側は底部５４によって閉じられている。底部５４の長軸方向一端側寄りの部分に、ハーネスガイド筒部４０が連設されている。
【００３５】
また、インナー６０は、樹脂等で一体金型成形された部材であり、周壁部６２と、鍔部６４と、ロック部６６とを備える。
【００３６】
周壁部６２は、取付孔１６内に配設可能な環状、ここでは、取付孔１６の形状に応じた長円筒形状に形成されている。
【００３７】
鍔部６４は、周壁部６２の一端部から外周側に張出すように設けられている。そして、周壁部６２が環状部５２の内周側に嵌め込まれた状態で、鍔部６４が環状部５２の内周側の環状溝５３に嵌め込まれる。これにより、インナー６０が環状取付部５０に対して一定位置に保持される。この状態では、周壁部６２の他端は、環状取付部５０の環状シール部５６及び外周側環状シール部５８よりも外方に突出する。
【００３８】
ロック部６６は、周壁部６２が取付孔１６内に配設された状態で、鍔部６４とは反対側から取付孔１６の周縁部に係止可能に構成されている。ここでは、周壁部６２の外周部のうち対向する２箇所に凹部６３が形成されており、ロック部６６は、当該凹部６３のうち鍔部６４とは反対側の部分から鍔部６４側に向けて外方に向いつつ延在するように形成されている。ロック部６６の先端部の外向き部分は凹んでおり、その凹み部分が係止凹部６６ａとされている。
【００３９】
インナー６０を取付孔１６に嵌める際に、ロック部６６の基端側からインナー６０を取付孔１６に挿入していくと、ロック部６６が取付孔１６の周縁部に接触して内向きに弾性変形しつつインナー６０が進んでいく。そして、ロック部６６のうち係止凹部６６ａよりも外側に突出している部分が取付孔１６の周縁部を越えると、ロック部６６が元の形状に弾性復帰し、係止凹部６６ａが取付孔１６の周縁部に係止する。この状態で、インナー６０の鍔部６４に被さる環状部５２に設けられた環状シール部５６及び外周側環状シール部５８が、ロック部６６が周縁部に係止する側とは逆側から、パネル１４の一方主面に押付けられる。
【００４０】
また、本インナー６０には、インナー６０が環状取付部５０に装着された状態で、ハーネスガイド筒部４０に入り込む部分円筒状の部分円筒部６１が設けられている。この部分円筒部６１は、省略されてもよい。
【００４１】
また、本グロメット３０の環状取付部５０には、環状シール部５６の反転を抑制する反転抑制突部５１が設けられている。反転抑制突部５１は、環状シール部５６の内周部の少なくとも一部に設けられており、環状シール部５６が内周側に反転しようとすると周壁部６２に当接してその反転を抑制するように構成されている。
【００４２】
より具体的には、反転抑制突部５１は、環状シール部５６の内周部の全体に亘って形成されている。このため、環状シール部５６のいずれか箇所が内周側に反転しようとしてもその途中で反転抑制突部５１が周壁部６２の外周面に当接する。
【００４３】
また、反転抑制突部５１は、環状シール部５６の周方向に沿ってスリット５１Ｓを介して分断されている。スリット５１Ｓは、なるべく狭い幅であることが好ましい。例えば、環状シール部５６の周方向において、反転抑制突部５１の幅寸法は、スリット５１Ｓの幅寸法よりも大きい。これにより、環状シール部５６は、拡径するように弾性変形し易い。すなわち、環状シール部５６は、徐々に広がるスカート状に形成されているため、パネル１４に押付けられると、広がるように弾性変形する。この際、反転抑制突部５１は、環状シール部５６の周方向に沿ってスリット５１Ｓを介して分断されているため、環状シール部５６は、比較的自由に広がるように弾性変形しつつ、パネル１４に押し当てられる。
【００４４】
また、反転抑制突部５１は、環状シール部５６の基端部よりも先端側に設けられている。反転抑制突部５１を周壁部６２に当接させることによって、環状シール部５６の反転を抑制するためには、反転抑制突部５１は、環状シール部５６のうちなるべく先端側寄りの位置に設けられることが好ましい。例えば、反転抑制突部５１は、環状シール部５６の基端部と先端部との中央よりも先端部寄りの位置に設けられることが好ましい。
【００４５】
もっとも、反転抑制突部５１は、環状シール部５６の丸められた先端縁部よりも基端部寄りの位置に突設されている。このため、反転抑制突部５１の存在に拘らず、環状シール部５６のうち丸められた先端縁部をパネル１４に押し当てることができる。
【００４６】
また、環状シール部５６を取付孔１６に取付ける前の状態において、反転抑制突部５１の先端部は、周壁部６２の外周面から離れて位置している。ここでは、環状シール部５６を取付孔１６に取付ける前の状態において、反転抑制突部５１は、周壁部６２の軸方向に対して直交する方向に沿って、環状シール部５６の内周部から内周側に向けて突出しており、その先端部が周壁部６２に接触しない程度の突出寸法に形成されている。これにより、インナー６０を環状取付部５０に取付ける際に、インナー６０が反転抑制突部５１を巻込んでしまうといった事態が生じ難いようになっている。
【００４７】
環状シール部５６の反転を抑制するためには、反転抑制突部５１の先端部は、外周面になるべく近くに位置していることが好ましい。反転抑制突部５１は、周壁部６２に接していてもよい。
【００４８】
なお、反転抑制突部５１の先端部は丸められているが、角張っていてもよい。
【００４９】
上記グロメット３０の端部をパネル１４の取付孔１６に装着する際の動作について説明する。
【００５０】
すなわち、図１に示すように、グロメット３０内にワイヤーハーネス２２が通されたグロメット付電線２０を準備する。
【００５１】
そして、グロメット３０から延出するワイヤーハーネス２２を取付孔１６内に通すと共に、インナー６０の他端部を取付孔１６内に押込む。この際、図６に示すように、インナー６０の軸方向に対して、パネル１４の法線方向が傾斜していると、環状シール部５６の先端部の一部がパネル１４に接触し、環状シール部５６の先端部の一部を内周に向けて押す力が作用する。すると、環状シール部５６の先端部の一部が内周側に変位し、これに合せて、反転抑制突部５１の一部も内周側に変位する。すると、反転抑制突部５１の先端部が周壁部６２の外周面に接触し（図６の２点鎖線参照）、環状シール部５６がそれ以上内周側に変位することが抑制され、環状シール部５６の反転が抑制される。続けて、インナー６０を取付孔１６内に押込むと、図７に示すように、環状シール部５６の反転が抑制されつつ、当該環状シール部５６がパネル１４に押付けられ、環状シール部５６の周方向全体が広げられつつ、パネル１４の一方主面に押付けられる。環状シール部５６のうち丸められた先端縁部は、パネル１４に押付けられることでパネル１４の表面形状に応じた形状に変形し、もって、環状シール部５６とパネル１４との接触面積を大きくする役割を果す。なお、この状態では、反転抑制突部５１は、環状シール部５６の基端部側に変形した状態となり、特に問題無く、環状シール部５６の丸められた先端縁部とパネル１４とが接触した状態となる。外周側環状シール部５８についても、周方向全体に広げられつつ、環状シール部５６の外周側でパネル１４の一方主面に押付けられる。
【００５２】
ロック部６６が取付孔１６の周縁部に係止するまで、インナー６０を取付孔１６内に押込むと、グロメット付電線２０のグロメット３０が取付孔１６に装着される。
【００５３】
以上のように構成されたグロメット３０及びグロメット付電線２０によると、グロメット３０を取付孔１６に装着する際に、環状シール部５６が反転しようとすると、反転抑制突部５１がインナー６０の周壁部６２に当接する。これにより、環状シール部５６の反転が抑制された状態で、環状シール部５６が取付孔１６の周囲でパネル１４に押付けられる。このため、環状シール部５６が反転した状態でパネル１４に押付けられることが抑制され、優れた防水性を得ることができる。
【００５４】
また、反転抑制突部５１は、環状シール部５６の周方向全体に設けられているため、環状シール部５６の周方向全体で環状シール部５６の反転を抑制でき、より優れた防水性を得ることができる。
【００５５】
また、反転抑制突部５１は、環状シール部５６の周方向において分断されているため、環状シール部５６をパネル１４に押付ける際に、環状シール部５６が広がり易い。このため、環状シール部５６をパネル１４に押付けつつインナー６０を取付孔１６に挿入するのに要する力が大きくなり難く、装着作業性に優れる。
【００５６】
また、反転抑制突部５１は、環状シール部５６の先端縁部よりも基端部寄りに設けられているため、環状シール部５６の先端縁部をより確実にパネルに押付けることができるため、環状シール部５６の先端縁部とパネル１４との接触による良好なシール性を得ることができる。
【００５７】
また、グロメット３０を取付孔１６に装着する前の状態で、反転抑制突部５１は、インナー６０の周壁部６２に非接触となっているため、インナー６０を環状取付部５０に装着する際に、インナー６０が反転抑制突部５１を巻込むといった事態が抑制され、インナー６０をグロメット本体に容易に取付けることができる。
【００５８】
また、外周側環状シール部５８が設けられているため、より確実に水の侵入を抑制できる。
【００５９】
｛変形例｝
なお、上記実施形態及び各変形例で説明した各構成は、相互に矛盾しない限り適宜組合わせることができる。
【００６０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６１】
１４    パネル
１６    取付孔
２０    グロメット付電線
２２    ワイヤーハーネス
３０    グロメット
３２    グロメット本体
５０    環状取付部
５１    反転抑制突部
５１Ｓ    スリット
５２    環状部
５３    環状溝
５６    環状シール部
５８    外周側環状シール部
６０    インナー
６２    周壁部
６４    鍔部
６６    ロック部
【図１】
2018057064.tif 000003
【図２】
2018057064.tif 000004
【図３】
2018057064.tif 000005
【図４】
2018057064.tif 000006
【図５】
2018057064.tif 000007
【図６】
2018057064.tif 000008
【図７】
2018057064.tif 000009